(57)【要約】【課題】  床板の表面の汚れを容易に洗浄できる床構造体を提供する。【解決手段】  床構造体１１は、床板２０ａの表面の汚れを洗浄するために用いられ、便器１の下方に設置され、透水性を有する透水性樹脂材料から形成され、その表裏面を貫通する噴出孔２５である第２の噴出孔２８ａが形成された床板２０ａと、床板２０ａの下方に設けられ、噴出孔２５である第２の噴出孔２８ａに向けて給水できる給水手段３１である給水パイプ３４ａと、床板２０ａの下方に設けられ、床板２０ａを介して落下する水を排出する排水手段４６である排出口５０及び排水管４８とから構成される。これにより、給水手段３１から給水された水は、第２の噴出孔２８ａを介して床板２０ａの表面に達した後に、表面の汚れを溶かすと共に、汚れが溶けた水は床板２０ａを介して落下し、排出手段４６により排出されるため、床板２０ａの表面の汚れを、容易に洗浄できる。【選択図】  図２
2018080445.tif 000002
【特許請求の範囲】
【請求項１】
床構造体であって、
透水性を有し、その表裏面を貫通する少なくとも１つの噴出孔が形成された床板と、
前記床板の下方に設けられ、前記噴出孔に向けて給水できる給水手段と、
前記床板の下方に設けられ、前記床板を介して落下する水を排出する排水手段とを備えた、床構造体。
【請求項２】
前記給水手段は、間欠的に作動し、
前記排水手段は、連続的に作動する、請求項１記載の床構造体。
【請求項３】
前記床板は、透水性樹脂材料から形成される、請求項１又は請求項２記載の床構造体。
【請求項４】
前記床板は、便器の下方に設置され、
前記給水手段は、前記便器の使用後を検知する検知出力に応答して作動する、請求項２又は請求項３記載の床構造体。
【請求項５】
前記噴出孔は、
前記便器の使用時に、使用者の両足の先端部分の各々に配置される第１の噴出孔と、
前記便器の前記使用時に、前記使用者の前記両足の踵部分の各々に配置される第２の噴出孔とを含む、請求項４記載の床構造体。
【請求項６】
前記噴出孔は、
前記便器の外方側に突出した突出部の下方付近に配置される第３の噴出孔を含む、請求項４又は請求項５記載の床構造体。
【発明の詳細な説明】
【技術分野】
【０００１】
この発明は床構造体に関し、特に便器の下方に設置して用いられる床構造体に関するものである。
【背景技術】
【０００２】
図１１は、特許文献１で開示された従来の便器ユニットにおいて便器を小便器とした場合の斜視図であり、図１２は、図１１で示した便器ユニットの側断面図である。
【０００３】
これらの図を参照して、便器ユニット９１は、壁面１１８に沿って形成され、給水管１０９と排水管１００と排水管１０１とを内装するハウジング９２と、ハウジング９２に当接支持した小便器９３と、小便器９３の下方の床にハウジング９２に当接して設けられ、鋼板等で形成された防水パン１１３と、防水パン１１３の上面に敷設され、格子状に複数の長孔９７が形成された床パネル９６とから構成される。
【０００４】
防水パン１１３は、ハウジング９２側の内側面に形成され、排水管１０１に接続される排水口１０４と、ハウジング９２とは反対側の内側面に形成され、給水管１０９に接続される複数の給水口１１１と、給水口１１１側から排水口１０４側にかけてゆるい傾斜が形成された底面とを含んで構成される。
【０００５】
小便器９３の前部内の上部は、洗浄用の水が給水される給水管１０９に接続されている。又、小便器９３の前部内の下部は、洗浄された水が排水される排水管１００に接続されている。これにより、給水管１０９から給水された水は、小便器９３内を洗浄し、排水管１００へと排出される。
【０００６】
使用に際して、小便器９３からの跳ねや小便だれによって、床パネル９６を汚した尿は、長孔９７を介して防水パン１１３に落ちる。落ちた尿は、給水管１０９から給水口１１１を介して給水された水によって、排水口１０４を介して排水管１０１へと排出される。
【先行技術文献】
【特許文献】
【０００７】
【特許文献１】特許第２６１２２９７号公報
【特許文献２】特開２００９−１４８４７５号公報
【発明の概要】
【発明が解決しようとする課題】
【０００８】
上記のような従来の便器ユニット９１では、床パネル９６に複数の長孔９７が形成されており、美観上好ましいものではなかった。又、小便器９３からの跳ねや小便だれの大半は、長孔９７を介して防水パン１１３に落ちず、床パネル９６の上面に残っていた。更に、この床パネル９６の上面の汚れを、長孔９７を介して防水パン１１３に落とすために、別途、床パネル９６の上面を洗浄する必要があった。
【０００９】
そこで、次のような透水性構造体を用いた便所の汚垂れ受け構造が提案されている。
【００１０】
図１３は、特許文献２で開示された従来の透水性構造体を示す概略分解斜視図であり、図１４は、図１３で示した従来の透水性構造体を用いた便所の汚垂れ受け構造を示す平面図であり、図１５は、図１４で示したＸＶ−ＸＶ線部分横断面図である。
【００１１】
図１３を参照して、透水性構造体１２１は、石英ガラス骨材含有透水性セラミック板１２２と、透水性セラミック板１２２の下方に設けられ、複数の孔１２６が形成された厚肉パンチングメタルからなる多孔補強板１２４と、多孔補強板１２４の下方に設けられた断面視コの字形状を有するステンレス板からなる水受けプレート部材１２８とから構成される。
【００１２】
図１４及び図１５を参照して、汚垂れ受け構造１３１は、小便器１３２の下方のフロア１３７に設けたフロア凹部１３８と、フロア凹部１３８に取り付けられた図１３で示した透水性構造体１２１とを含んで構成される。
【００１３】
使用に際して、小便器１３２から飛び跳ねた汚垂れは、小便器１３２の下方に設けられた透水性構造体１２１によって受けられる。そして、この汚垂れは、透水性構造体１２１の透水性セラミック板１２２及び多孔補強板１２４の孔１２６を透過し、水受けプレート部材１２８へと落ち、図示しない排水溝から排出される。
【００１４】
汚垂れ受け構造１３１における透水性構造体１２１は、表面には孔が形成されておらず、美観上好ましいものあった。
【００１５】
しかしながら、汚垂れは、その自重のみでは、透水性構造体１２１の透水性セラミック板１２２を透過しにくく、透水性セラミック板１２２の上面に残存していた。そのため、透水性セラミック板１２２の上面に残った汚垂れを、透水性セラミック板１２２に透過させるために、別途、水を加えて汚垂れを溶かし、水受けプレート部材１２８へと落とす必要があった。又、水を加えることで、透水性セラミック板１２２の上面に水残りすることがあった。
【００１６】
この発明は、上記のような課題を解決するためになされたもので、床板の表面の汚れを容易に洗浄できる床構造体を提供することを目的とする。
【課題を解決するための手段】
【００１７】
上記の目的を達成するために、請求項１記載の発明は、床構造体であって、透水性を有し、その表裏面を貫通する少なくとも１つの噴出孔が形成された床板と、床板の下方に設けられ、噴出孔に向けて給水できる給水手段と、床板の下方に設けられ、床板を介して落下する水を排出する排水手段とを備えたものである。
【００１８】
このように構成すると、給水手段から給水された水は噴出孔を介して床板の表面に達した後に、表面の汚れを溶かすと共に、汚れが溶けた水は床板を介して落下し、排出手段により排出される。
【００１９】
請求項２記載の発明は、請求項１記載の発明の構成において、給水手段は、間欠的に作動し、排水手段は、連続的に作動するものである。
【００２０】
このように構成すると、間欠的に床板が洗浄される。
【００２１】
請求項３記載の発明は、請求項１又は請求項２記載の発明の構成において、床板は、透水性樹脂材料から形成されるものである。
【００２２】
このように構成すると、汚れが溶けた水が床板の全範囲を透水し易くなる。
【００２３】
請求項４記載の発明は、請求項２又は請求項３記載の発明の構成において、床板は、便器の下方に設置され、給水手段は、便器の使用後を検知する検知出力に応答して作動するものである。
【００２４】
このように構成すると、必要に応じて給水される。
【００２５】
請求項５記載の発明は、請求項４記載の発明の構成において、噴出孔は、便器の使用時に、使用者の両足の先端部分の各々に配置される第１の噴出孔と、便器の使用時に、使用者の両足の踵部分の各々に配置される第２の噴出孔とを含むものである。
【００２６】
このように構成すると、床板における両足の先端部分及び踵部分の汚れを溶かし易くなる。
【００２７】
請求項６記載の発明は、請求項４又は請求項５記載の発明の構成において、噴出孔は、便器の外方側に突出した突出部の下方付近に配置される第３の噴出孔を含むものである。
【００２８】
このように構成すると、便器の突出部の下方付近における汚れを溶かし易くなる。
【発明の効果】
【００２９】
以上説明したように、請求項１記載の発明は、給水手段から給水された水は噴出孔を介して床板の表面に達した後に、表面の汚れを溶かすと共に、汚れが溶けた水は床板を介して落下し、排出手段により排出されるため、床板の表面の汚れを、容易に洗浄できる。
【００３０】
請求項２記載の発明は、請求項１記載の発明の効果に加えて、間欠的に床板が洗浄されるため、用途に応じた洗浄が可能となる。
【００３１】
請求項３記載の発明は、請求項１又は請求項２記載の発明の効果に加えて、汚れが溶けた水が床板の全範囲を透水し易くなるため、床板における水残りがなくなり、使用勝手が向上する。
【００３２】
請求項４記載の発明は、請求項２又は請求項３記載の発明の効果に加えて、必要に応じて給水されるため、効率的な洗浄が可能となる。
【００３３】
請求項５記載の発明は、請求項４記載の発明の効果に加えて、床板における両足の先端部分及び踵部分の汚れを溶かし易くなるため、効率的な洗浄が可能となる。
【００３４】
請求項６記載の発明は、請求項４又は請求項５記載の発明の効果に加えて、便器の突出部の下方付近における汚れを溶かし易くなるため、より効率的な洗浄が可能となる。
【図面の簡単な説明】
【００３５】
【図１】この発明の第１の実施の形態による床構造体を、便器の下方に設置した状態を示す概略平面図である。
【図２】図１で示したＩＩ−ＩＩラインから見た概略断面図である。
【図３】図２で示したＩＩＩ−ＩＩＩラインから見た概略断面図である。
【図４】図３で示したＩＶ−ＩＶラインから見た概略端面図である。
【図５】図１で示した床構造体の床板を取り外した状態の概略断面図であって、図３に対応した図である。
【図６】図５で示したＶＩ−ＶＩラインから見た概略端面図である。
【図７】図５で示した床構造体から給水管を更に取り外した状態の概略断面図であって、図３に対応した図である。
【図８】図４の“Ｘ”部分の概略拡大図であって、図１で示した床構造体を用いて床板の表面を洗浄する過程を説明する図である。
【図９】この発明の第２の実施の形態による床構造体を、便器の下方に設置した状態を示す概略平面図であって、図１に対応した図である。
【図１０】図９で示した床構造体の床板を取り外した状態の概略断面図であって、図５に対応した図である。
【図１１】特許文献１で開示された従来の便器ユニットにおいて便器を小便器とした場合の斜視図である。
【図１２】図１１で示した便器ユニットの側断面図である。
【図１３】特許文献２で開示された従来の透水性構造体を示す概略分解斜視図である。
【図１４】図１３で示した従来の透水性構造体を用いた便所の汚垂れ受け構造を示す平面図である。
【図１５】図１４で示したＸＶ−ＸＶ線部分横断面図である。
【発明を実施するための形態】
【００３６】
図１は、この発明の第１の実施の形態による床構造体を、便器の下方に設置した状態を示す概略平面図であり、図２は、図１で示したＩＩ−ＩＩラインから見た概略断面図であり、図３は、図２で示したＩＩＩ−ＩＩＩラインから見た概略断面図であり、図４は、図３で示したＩＶ−ＩＶラインから見た概略端面図であり、図５は、図１で示した床構造体の床板を取り外した状態の概略断面図であって、図３に対応した図であり、図６は、図５で示したＶＩ−ＶＩラインから見た概略端面図であり、図７は、図５で示した床構造体から給水管を更に取り外した状態の概略断面図であって、図３に対応した図である。
【００３７】
これらの図を参照して、床構造体１１は、小便器である便器１の下方に設置され、透水性を有する透水性樹脂材料から形成され、その表裏面（表面２１及び裏面２２）を貫通する噴出孔２５が形成された床板２０ａ及び２０ｂと、床板２０ａ及び２０ｂの下方に設けられ、噴出孔２５に向けて給水できる給水手段３１と、床板２０ａ及び２０ｂの下方に設けられ、床板２０ａ及び２０ｂを介して落下する水を排出する排水手段４６とから構成される。床構造体１１は、床板２０ａ及び２０ｂの表面２１の汚れを洗浄するために用いられる。
【００３８】
ここでは、給水手段３１は、後述する給水管３３と、給水管３３に接続され、床板２０ａ及び２０ｂの下方に設けられ、例えば塩化ビニル管等である後述する給水パイプ３４ａ〜３４ｅとからなる。又、排水手段４６は、後述する排水管４８と、後述する排水口５０とからなる。
【００３９】
便器１は、図２を特に参照して、壁面７に沿って設置された取付ボックス５に、下方にスペースを開けて取り付けられている。センサー８７が、便器１の上方位置で、取付ボックス５に設置されている。
【００４０】
取付ボックス５の内部には、センサー８７の検知出力に応答して給水の開始及び停止を制御する制御部８５が設置されている。又、取付ボックス５の内部には、制御部８５に接続され、その一部が露出し、便器１の図示しない給水口に連通する給水管３９と、制御部８５に接続された給水手段３１である給水管３３とが設置されている。更に、取付ボックス５の内部には、便器１の図示しない排水口に連通する排水管５４が設置されている。
【００４１】
床板２０ａ及び２０ｂは、透水性を有するように、例えば砂利を、溶解した合成樹脂や繊維等と混合することで形成される。これにより、透水性が向上し、水残りしにくくなると共に、迅速な透水が可能となる。尚、砂利に代えて、火山灰やリサイクル骨材等を用いて形成しても良い。
【００４２】
床板２０ａ及び２０ｂに形成された噴出孔２５は、図１及び図３を特に参照して、便器１の使用時に、使用者７５の両足７６の先端部分７９ａ及び７９ｂの各々に配置される第１の噴出孔２６ａ及び２６ｂと、便器１の使用時に、使用者７５の両足７６の踵部分８２ａ及び８２ｂの各々に配置される第２の噴出孔２８ａ及び２８ｂと、便器１の外方側に突出した突出部３の下方付近に配置される第３の噴出孔３０ａ及び３０ｂとからなる。尚、第１の噴出孔２６ａ及び２６ｂ、第２の噴出孔２８ａ及び２８ｂ及び第３の噴出孔３０ａ及び３０ｂの各々は、複数個の孔が二列に並んで形成されている。
【００４３】
第１の噴出孔２６ａ、第２の噴出孔２８ａ及び第３の噴出孔３０ａは、床板２０ａに形成されている。第１の噴出孔２６ｂ、第２の噴出孔２８ｂ及び第３の噴出孔３０ｂは、床板２０ｂに形成されている。
【００４４】
床板２０ａに形成された第１の噴出孔２６ａ及び第２の噴出孔２８ａの各々は、平行に配置されている。床板２０ｂに形成された第１の噴出孔２６ｂ及び第２の噴出孔２８ｂの各々は、平行に配置されている。床板２０ａに形成された第３の噴出孔３０ａ及び床板２０ｂに形成された第３の噴出孔３０ｂの各々は、床板２０ａ及び２０ｂを並べて配置したときに、直線状となるように配置されている。
【００４５】
又、第１の噴出孔２６ａ及び第１の噴出孔２６ｂは、便器１の突出部３の平面視Ｖの字形状に合わせて、配置されている。第２の噴出孔２８ａと、第３の噴出孔３０ａ及び３０ｂと、第２の噴出孔２８ｂとは、便器１の突出部３の平面視Ｖの字形状に合わせて、第１の噴出孔２６ａ及び第１の噴出孔２６ｂの外方側に配置されている。このように配置した理由については、後述する。
【００４６】
床板２０ａ及び２０ｂに形成された第１の噴出孔２６ａ及び２６ｂ、第２の噴出孔２８ａ及び２８ｂ、第３の噴出孔３０ａ及び３０ｂの各々は、小さな孔（径１ｍｍ〜５ｍｍ）であり、美観上好ましい。尚、この径は、２．３ｍｍがより好ましい。
【００４７】
床板２０ａ及び２０ｂの設置に際して、まず、便器１の下方に位置し、コンクリート等からなる床８の上面に、ステンレスからなる防水パン４１が設置されている。尚、便器１の下方とは、便器１の下方付近や、平面視における便器１の周辺を含む。
【００４８】
防水パン４１が設置されていない床８の上面には、クッションフロアやタイル等の床仕上げ材９が設置されている。
【００４９】
防水パン４１は、図５及び図７を特に参照して、給水手段３１である給水パイプ３４ａ〜３４ｅが配置できる溝４３と、溝４３の下面に形成され、図２で示した排水手段４６である排水管４８に連通する排水手段４６である排水口５０とが形成されている。防水パン４１の溝４３の下面は、水が流れるように、排水口５０に向けて傾斜して形成されている。即ち、排水手段４６である排水口５０及び排水管４８は、常に流れてきた水を排水できる状態にあり、連続的に作動している。尚、排水管４８は、便器１の排水管５４に連通させても良い。
【００５０】
防水パン４１の溝４３には、給水手段３１である給水管３３に接続され、ループ状に配管された給水手段３１である給水パイプ３４ａ〜３４ｅが配置されている。尚、ループ状に配置することで、後述する給水孔３６ａ〜３６ｅの各々から噴出（給水）する水圧を一定に保つことが可能となる。又、ループ状に配管せずに、給水パイプの端部で閉じて直線状に配管したり、例えば、図５で示した防水パン４１の開口４４ａから入った給水管３３を、直線状に配管した給水パイプを介して、開口４４ｂから出し、別の給水管等へと繋げたりしても良い。ループ状に配管しない場合には、各給水孔からの噴出（給水）する水圧を一定とするために、給水管３３の元となる水圧に応じて給水パイプの給水孔の径を位置ごとに変えて形成しても良い。又は、給水パイプの配置を変えても良い。
【００５１】
給水パイプ３４ａ〜３４ｅの各々には、複数個の孔からなる給水孔３６ａ〜３６ｅの各々が形成されている。
【００５２】
図３及び図５を特に参照して、給水手段３１である給水パイプ３４ａの上部に形成された給水孔３６ａは、床板２０ａの第２の噴出孔２８ａに向けて水を吐出（給水）できるように形成されている。即ち、給水孔３６ａと第２の噴出孔２８ａとが対応関係にある。尚、吐出（給水）の際に、給水孔３６ａの位置を、噴出孔２８ａの位置に合わせて形成すると、水が噴出孔２８ａから噴出し易くなり、洗浄効率が向上する。又、直線状に吐出（給水）するのではなく、霧状に吐出（給水）しても良い。
【００５３】
給水孔３６ａと第２の噴出孔２８ａとの対応関係と同様にして、給水孔３６ｂと第１の噴出孔２６ａ、給水孔３６ｃと第１の噴出孔２６ｂ、給水孔３６ｄと第２の噴出孔２８ｂ、給水孔３６ｅと第３の噴出孔３０ａ及び３０ｂの各々が、対応関係にあるように形成及び配置されている。
【００５４】
防水パン４１の上面には、床板２０ａ及び２０ｂが載置されている。ここでは、床板２０ａ及び２０ｂの各々は、厚さが５〜１０ｍｍの平板形状であり、重量が７〜９Ｋｇに形成されている。そのため、使用された結果、水の透水率が低下した場合等には、専門の設置者でなくとも、床板２０ａ及び２０ｂのみを容易に交換して設置することができる。
【００５５】
使用に際して、図２〜図５を特に参照して、センサー８７（人感センサー等）は、便器１の使用後を検知すると、検知出力を制御部８５に伝達する。制御部８５は、検知出力を受けて、給水管３９と、給水手段３１である給水管３３とに給水を開始する。即ち、給水手段３１である給水管３３は、便器１の使用後を検知する検知出力に応答して作動する。これにより、給水管３３に接続された給水パイプ３４ａ〜３４ｅの各々に給水され、後述する床板２０ａ及び２０ｂの表面２１を洗浄する過程に至る。このように構成することにより、必要に応じて給水されるため、効率的な洗浄が可能となる。
【００５６】
又、所定時間が経過すると、制御部８５は、給水管３９と、給水手段３１である給水管３３とへの給水を停止する。即ち、給水手段３１は、間欠的に作動する。これにより、間欠的に床板２０ａ及び２０ｂが洗浄されるため、用途に応じた洗浄が可能となる。
【００５７】
尚、制御部８５は、給水管３９及び給水管３３を連動させて、給水の開始と停止を行っているが、例えば、給水管３９へ給水開始した後、少し時間差を経てから給水管３３への給水を開始しても良い。このようにすることで、使用者７５が便器１から立去った後に、床板２０ａ及び２０ｂの表面２１の洗浄が開始されるので、使用勝手が向上する。
【００５８】
次に、上述したように給水手段３１である給水パイプ３４ａに給水された後の状態について、詳細に説明する。
【００５９】
図８は、図４の“Ｘ”部分の概略拡大図であって、図１で示した床構造体を用いて床板の表面を洗浄する過程を説明する図である。
【００６０】
図８の（１）を参照して、床板２０ａの表面２１には、便器１からの汚垂れや図３で示した使用者７５の靴裏等の汚れ７１ａ及び７１ｂが付着している。
【００６１】
給水手段３１である給水パイプ３４ａに給水された水６１は、給水孔３６ａを介して、実線の矢印の方向である上方（床板２０ａの裏面２２の方向）へ、床板２０ａの噴出孔２５である第１の噴出孔２６ａに向けて吐出（給水）される。
【００６２】
図８の（２）を参照して、給水手段３１である給水パイプ３４から給水された水６１は、第１の噴出孔２６ａを介して、床板２０ａの表面２１に達した後に、表面２１に付着した汚れ７１ａ及び７１ｂを溶かす。汚れ７１ａ及び７１ｂが溶けた水６１の一部は、給水が停止すると、破線の矢印の方向（床板２０ａの裏面２２の方向）へ、第１の噴出孔２６ａを介して、落下する。又、汚れ７１ａ及び７１ｂが溶けた水６１の他の部分は、実線の矢印の方向（床板２０ａの裏面２２の方向）へ、透水性を有する床板２０ａを介して、落下（透水）する。
【００６３】
ここで、床板２０ａは、透水性樹脂材料から形成されているので、汚れ７１ａ及び７１ｂが溶けた水６１が床板２０ａの全範囲を透水し易い。従って、床板２０ａにおける水残りがなくなり、使用勝手が向上する。
【００６４】
図８の（３）を参照して、汚れ７１ａ及び７１ｂが溶けた水６１は、床板２０ａを介して落下（透水）し、図２で示した排出手段４８である排水口５０及び排水管４８により排出される。これにより、床板２０ａの表面２１の汚れ７１ａ及び７１ｂを、容易に洗浄できる。
【００６５】
尚、ここで、給水パイプ３４ａからの給水を完全には停止せずに、床板２０ａの裏面２２には到達しない水圧で、少量の給水を続けても良い。これにより、汚れ７１ａ及び７１ｂが溶けた水６１が、給水パイプ３４ａの給水孔３６ａを介して、給水パイプ３４ａの内部に入らず、図３で示した排水口５０及び排水管４８に導かれる。
【００６６】
又、上述したように図５等で示した防水パン４１の溝４３の下面は、水が流れるように、排水口５０に向けて傾斜して形成されているので、汚れ７１ａ及び７１ｂが溶けた水６１は、自ずと排水口５０へと導かれる。
【００６７】
次に、このようにして床板２０ａの表面２１を洗浄する際、床構造体１１は、より効率的な洗浄を実現したものであることについて説明する。
【００６８】
図１及び図３を特に参照して、床構造体１１の床板２０ａ及び２０ｂには、便器１の使用時に、使用者７５の両足７６の先端部分７９ａ及び７９ｂの各々に配置される第１の噴出孔２６ａ及び２６ｂと、使用者７５の両足７６の踵部分８２ａ及び８２ｂの各々に配置される第２の噴出孔２８ａ及び２８ｂとが形成されている。このように形成することにより、床板２０ａ及び２０ｂにおける両足７６の先端部分７９ａ及び７９ｂ及び踵部分８２ａ及び８２ｂの汚れを溶かし易くなるため、効率的な洗浄が可能となる。
【００６９】
又、床板２０ａ及び２０ｂには、便器１の外方側に突出した突出部３の下方付近に配置される第３の噴出孔３０ａ及び３０ｂが形成されている。このように形成することにより、便器１の突出部３の下方付近における汚れを溶かし易くなるため、より効率的な洗浄が可能となる。
【００７０】
図９は、この発明の第２の実施の形態による床構造体を、便器の下方に設置した状態を示す概略平面図であって、図１に対応した図であり、図１０は、図９で示した床構造体の床板を取り外した状態の概略断面図であって、図５に対応した図である。
【００７１】
尚、この第２の実施の形態による床構造体１２は、図１で示した床構造体１１と基本的な構成は同一である。ここでは、その相違点を中心に説明する。
【００７２】
これらの図を参照して、床構造体１２は、床構造体１１に比べて、床板２０ａ及び２０ｂの噴出孔２５の配置と、給水手段３１である給水パイプ３４の配置とが異なっている。
【００７３】
床構造体１２の床板２０ａには、噴出孔２５である第１の噴出孔２６ｃと、噴出孔２５である第２の噴出孔２８ｃと、噴出孔２５である第３の噴出孔３０ｃとが形成されている。
【００７４】
床構造体１２の床板２０ｂには、噴出孔２５である第１の噴出孔２６ｄと、噴出孔２５である第２の噴出孔２８ｄと、噴出孔２５である第３の噴出孔３０ｄとが形成されている。
【００７５】
床板２０ａに形成された第１の噴出孔２６ｃ及び床板２０ｂに形成された第１の噴出孔２６ｄの各々は、床板２０ａ及び２０ｂを並べて配置したときに、便器１の幅方向に平行となり、平面視における便器１の突出部３の外方側の先端部よりも内方側に位置し、直線状となるように配置されている。この配置を、配置αとする。
【００７６】
床板２０ａに形成された第２の噴出孔２８ｃと、床板２０ａに形成された第３の噴出孔３０ｃと、床板２０ｂに形成された第３の噴出孔３０ｄと、床板２０ｂに形成された第２の噴出孔２８ｄの各々は、床板２０ａ及び２０ｂを並べて配置したときに、便器１の幅方向に平行となり、平面視における便器１の突出部３の外方側の先端部よりも外方側に位置し、直線状となるように配置されている。この配置を配置βとすると、配置βは配置αに平行である。
【００７７】
給水手段３１である給水パイプ３４ｆ及び３４ｇは、給水手段３１である給水管３３に接続され、ループ状に配管されている。給水パイプ３４ｆに形成された給水孔３６ｆは、床面２０ａの配置β（床板２０ａの第２の噴出孔２８ｃと、床板２０ａの第３の噴出孔３０ｃと、床板２０ｂの第３の噴出孔３０ｄと、床板２０ｂの第２の噴出孔２８ｄの各々）に対応するように配置されている。
【００７８】
給水パイプ３４ｇに形成された給水孔３６ｇは、床面２０ａの配置α（床板２０ａの第１の噴出孔２６ｃ及び床板２０ｂの第１の噴出孔２６ｄの各々）に対応するように配置されている。
【００７９】
このように構成することにより、給水パイプ３４ｆ及び３４ｇの配管が容易となり、設置効率が向上する。
【００８０】
尚、上記の各実施の形態では、床構造体は、便器の下方に設置して用いられるものであったが、例えばプールや浴室、食品工場の出入口のように他の場所に設置して用いられても良い。
【００８１】
又、上記の各実施の形態では、床構造体は、洗浄目的で使用されるものであったが、例えば床板の表面への水の給水状態を見る観賞目的のように、その他の目的で使用されても良い。
【００８２】
更に、上記の各実施の形態では、便器は、床面の上方に設置された小便器であったが、床面に当接するように設置された小便器であっても良い。又は、大便器であっても良い。更に、床に埋没して設置される便器であっても良い。これらの場合には、床構造体は、これら便器の周辺付近に設置されることが好ましい。
【００８３】
更に、上記の各実施の形態では、給水手段は、水を給水するものであったが、汚れを溶かすものであれば、例えば洗浄剤等を含む水を給水しても良い。このようにすることで、洗浄効果が向上する。
【００８４】
更に、上記の各実施の形態では、噴出孔は、第１〜第３の噴出孔を含むものであったが、床板の表裏面を貫通する少なくとも１つが形成されたものであれば、第１〜第３の噴出孔を含まなくても良い。又は、第１〜第３の噴出孔の各々を組み合わせたものや、それ以外の噴出孔を含んでも良い。
【００８５】
更に、上記の各実施の形態では、噴出孔は、複数個からなるものであったが、床板の表裏面を貫通するものであれば、少なくとも１つが形成されていれば良い。又、複数個からなるときには、任意の位置に配置されても良い。
【００８６】
更に、上記の各実施の形態では、給水手段は、給水管及び給水パイプからなるものであったが、床板の下方に設けられ、噴出孔に向けて給水できるものであれば、それ以外のもので構成されても良い。
【００８７】
更に、上記の各実施の形態では、給水手段は、噴出孔に対応して配置されたものであったが、床板の下方に設けられ、噴出孔に向けて給水できるものであれば、任意の位置に配置されても良い。
【００８８】
更に、上記の各実施の形態では、排水手段は、排水管及び排水口からなるものであったが、床板の下方に設けられ、床板を介して落下する水を排出するものであれば、それ以外のもので構成されても良い。
【００８９】
更に、上記の各実施の形態では、排水手段は、連続的に作動するものであったが、間欠的に作動するものであっても良い。
【００９０】
更に、上記の各実施の形態では、給水手段は、便器の使用後を検知する検知出力に応答して作動するものであったが、例えば、使用者が使用後にボタンを押して作動するように、その他の手段で間欠的に作動するものであっても良い。又は、間欠的ではなく、常に給水し続けるように、連続的に作動するものであっても良い。
【００９１】
更に、上記の各実施の形態では、床板は、透水性樹脂から形成されるものであったが、透水性を有し、その表裏面を貫通する少なくとも１つの噴出孔が形成されたものであれば、それ以外の材質から形成されても良い。
【符号の説明】
【００９２】
１…便器
３…突出部
１１、１２…床構造体
２０…床板
２５…噴出孔
２６…第１の噴出孔
２８…第２の噴出孔
３０…第３の噴出孔
３１…給水手段
４６…排水手段
６１…水
７１…汚れ
７５…使用者
７６…両足
７９…先端部分
８２…踵部分
尚、各図中同一符号は同一又は相当部分を示す。
【図１】
2018080445.tif 000003
【図２】
2018080445.tif 000004
【図３】
2018080445.tif 000005
【図４】
2018080445.tif 000006
【図５】
2018080445.tif 000007
【図６】
2018080445.tif 000008
【図７】
2018080445.tif 000009
【図８】
2018080445.tif 000010
【図９】
2018080445.tif 000011
【図１０】
2018080445.tif 000012
【図１１】
2018080445.tif 000013
【図１２】
2018080445.tif 000014
【図１３】
2018080445.tif 000015
【図１４】
2018080445.tif 000016
【図１５】
2018080445.tif 000017